(57)【要約】【課題】フレーム枠内にパネルが配設された引戸を備える収納棚において、前記引戸を取り付けた状態のまま、引戸用ランナ装置の位置調整を可能とする。【解決手段】引戸用ランナ装置６は、正面視で略Ｌ字形に形成された板材の一辺側６Ａにローラ部材９を回転自在に支持するとともに、他辺側６Ｂにネジ取付孔６ｃ、６ｂを有し、上框４Ａ又は下框４Ｂと縦框４Ｃ、４Ｄとが交差する隅部において、前記ローラ部材９が設けられた一辺側６Ａを上框４Ａ又は下框方向４Ｂに沿って配向するとともに、ネジ取付孔６ｃ、６ｂが形成された他辺側６Ｂを縦框４Ｃ、４Ｄ方向に沿って配向し、かつ板材の中間部を軸支することにより、揺動可能な状態としておき、引戸３の取付けに際して、前記他辺側６Ｂの揺動操作により一辺側６Ａに支持されたローラ部材９の位置調整を行ったならば、前記他辺側６Ｂのネジ取付孔６ｃ、６ｂに固定ネジ１６，１７を螺入し固定する。【選択図】  図２
2004218331.tif 000002
【特許請求の範囲】
【請求項１】
上框、下框及び縦框からなるフレーム枠にパネルが配設された引戸の裏面側に設けられるとともに、収納棚の上板端面及び下板端面とに夫々設けられたレール上を走行するローラ部材を備え、前記引戸を開閉自在とする引戸用ランナ装置の取付構造であって、
前記引戸用ランナ装置は、正面視で略Ｌ字形に形成された板材の一辺側にローラ部材を回転自在に支持するとともに、他辺側にネジ取付孔を有し、上框又は下框と縦框とが交差する隅部において、前記ローラ部材が設けられた一辺側を上框又は下框方向に沿って配向するとともに、ネジ取付孔が形成された他辺側を縦框方向に沿って配向し、かつ板材の中間部を軸支することにより、揺動可能な状態としておき、
引戸の取付けに際して、前記他辺側の揺動操作により一辺側に支持されたローラ部材の位置調整を行ったならば、前記他辺側のネジ取付孔に固定ネジを螺入し固定したことを特徴とする引戸用ランナ装置の取付構造。
【請求項２】
前記ネジ取付孔は、板材の揺動軸支点を回転中心とした円弧方向に長孔状の仮固定用ネジ取付孔と、丸孔状の本固定用ネジ取付孔とからなる請求項１記載の引戸用ランナ装置の取付構造。
【発明の詳細な説明】
【０００１】
【発明の属する技術分野】
本発明は、収納棚の開口面に設けられる引戸をレールに沿って開閉自在とするための引戸用ランナ装置の取付構造に関する。
【０００２】
【従来の技術】
従来より、収納棚の開口面に対して、アルミ等の金属製フレーム枠内にガラス等のパネルが嵌め込まれてなる引戸を開閉自在に設けたものが知られている。
【０００３】
具体的には、図５および図６に示されるように、アルミ製の上框２３Ａ、下框２３Ｂおよび縦框２３Ｃ、２３Ｄ内にガラス２８が嵌め込まれた引戸２２の上框２３Ａ、下框２３Ｂの裏面側にそれぞれ、ローラ２５を備えるランナ装置２４を配設するとともに、収納棚２１の上板２１Ａの端面及び下板２１Ｂの端面とにそれぞれレール部材２６、２６を配設し、前記ランナ装置２４のローラ部材２５が前記レール部材２６、２６を走行することにより、前記引戸２２を容易に開閉自在としている。この場合、前記ランナ装置２４の位置調整は、板材２４ａに斜め方向の長孔２４ｂ、２４ｂを形成しておき、前記板材２４ａをスライドさせることによりランナ装置２４を斜め上下方向に移動させ、所定の位置でネジ固定するようにしている。
【０００４】
【発明が解決しようとする課題】
しかしながら、前記ランナ構造の場合には、引戸２２を収納棚２１に取り付けた状態のままではランナ装置２４の位置調整を行うことはできず、調整の度に、引戸２２を取り外す必要があった。
【０００５】
そこで、本発明の主たる課題は、上框、下框及び縦框からなるフレーム枠にパネルが配設された引戸を収納棚において、前記引戸を取り付けた状態のまま、引戸用ランナ装置の位置調整を可能とした引戸用ランナ装置の取付け構造を提供することにある。
【０００６】
【課題を解決するための手段】
前記課題を解決するための請求項１に係る発明として、上框、下框及び縦框からなるフレーム枠にパネルが配設された引戸の裏面側に設けられるとともに、収納棚の上板端面及び下板端面とに夫々設けられたレール上を走行するローラ部材を備え、前記引戸を開閉自在とする引戸用ランナ装置の取付構造であって、
前記引戸用ランナ装置は、正面視で略Ｌ字形に形成された板材の一辺側にローラ部材を回転自在に支持するとともに、他辺側にネジ取付孔を有し、上框又は下框と縦框とが交差する隅部において、前記ローラ部材が設けられた一辺側を上框又は下框方向に沿って配向するとともに、ネジ取付孔が形成された他辺側を縦框方向に沿って配向し、かつ板材の中間部を軸支することにより、揺動可能な状態としておき、
引戸の取付けに際して、前記他辺側の揺動操作により一辺側に支持されたローラ部材の位置調整を行ったならば、前記他辺側のネジ取付孔に固定ネジを螺入し固定したことを特徴とする引戸用ランナ装置の取付構造が提供される。
【０００７】
上記請求項１記載の発明によれば、ランナ装置の板材を正面視で略Ｌ字形に形成し、上框又は下框と縦框とが交差する隅部において、ローラが設けられた一辺側を上／下框方向に配向するとともに、ボルト取付孔が形成された他辺側を縦框方向に沿って配向した状態で揺動可能に取り付けておく。そして、引戸の取り付けに際し、前記他辺側の揺動操作により一辺側のローラ位置を調整したならば、前記他辺側のネジ取付孔に固定ネジを螺入し固定するようにする。
【０００８】
従って、引戸を収納棚に取付けた状態のまま、縦框の裏面に手を伸ばし、他辺側の揺動操作によりローラ位置を調整することができ、またネジ固定も引戸を取り付けたまま行うことができる。また、本発明ではランナ装置の板材を正面視で略Ｌ字形に形成しているため、他辺側の略水平方向の揺動動作がローラ部では略鉛直方向の揺動動作に変換されるため、縦框の幅が狭い場合であっても僅かの揺動動作で十分にローラの調整代を確保することができる。これに対して、仮にランナ装置の板材形状を矩形状とした場合には、他辺側の略水平方向の揺動動作が、ローラ部では同じく略水平方向の揺動動作となるため、ローラ部の調整代を大きくしたい場合には他辺側の揺動量が過度に大きくなり、縦框の幅が大きくなるなどの問題が生ずることになる。
【０００９】
請求項２に係る発明として、前記ネジ取付孔は、板材の揺動軸支点を回転中心とした円弧方向に長孔状の仮固定用ネジ取付孔と、丸孔状の本固定用ネジ取付孔とからなる請求項１記載の引戸用ランナ装置の取付構造が提供される。引戸を取り付けた状態のままでは、ネジ止めが非常に作業しづらいため、仮固定用ネジ取付孔にネジを螺入するけれども、締結はせずランナ装置を揺動可能な状態としておき、ローラの位置が決定されたならば、ネジを螺進させてランナ装置を仮止めし、次いで本固定用ネジ取付孔にネジを螺入して固定するようにする。
【００１０】
【発明の実施の形態】
以下、本発明の実施の形態について図面を参照しながら詳述する。
図１は、本発明が適用された収納棚の全体斜視図であり、図２は本発明に係る引戸用ランナ装置の取付け構造１を示す正面図、図３はそのＩＩＩ−ＩＩＩ線矢視図である。
【００１１】
図１に示されるように、収納棚２は、上板２Ａの端面と下板２Ｂの端面とにそれぞれ水平方向に沿ってレール５，５が設けられるとともに、収納棚２の開口幅の約１／３幅とされる２枚の引戸３、３が前記レール５，５を走行ガイドとして開閉自在に設けられている。
【００１２】
前記引戸３は、アルミ等の金属形材からなる上框４Ａ、下框４Ｂ及び縦框４Ｃ、４Ｄによって構成されたフレーム枠４内にガラス等のパネル７が嵌め込まれたものであり、この引戸３のフレーム４の裏面側に引戸用ランナ装置（以下、単にランナ装置という）が本発明に係る取付け構造に従って取り付けられている。なお、図示の例では、引戸３が２枚設けられた両開きタイプとしたが、収納棚２の開口幅の約１／２幅とされる引戸３が１枚のみ設けられた片開きタイプであってもよい。
【００１３】
以下、本発明に係るランナ装置６の取付け構造１について具体的に詳述する。
【００１４】
ランナ装置６は、図４に示されるように、正面視で略Ｌ字形に形成された板材の一辺側６Ａに支軸１３によってローラ９が支持されるとともに、中間部に揺動軸用ネジ孔６ｄを有し、かつ他辺側６Ｂに揺動軸点を回転中心とした円弧方向に長孔の仮固定用ネジ取付孔６ｂと、丸孔状の本固定用ネジ取付孔６ｃとからなるネジ取付孔が形成された部材である。
【００１５】
前記ランナ装置６は、図２に示されるように、上框４Ａと縦框４Ｄとが交差する隅部において、前記一辺側６Ａを上框４Ａ方向に配向するとともに、他辺側６Ｂを縦框４Ｄ方向に沿って配向した状態で、前記揺動軸用ネジ孔６ｄを貫通する支軸１０（ネジ）によって揺動可能な状態で取り付けられる。この際、仮固定用ネジ取付孔６ｂに仮止めネジ１６を螺入しておくけれども締結せず、ランナ装置６を揺動可能な状態としておくのが望ましい。
【００１６】
前記ローラ部材９は、図３に示されるように、実際にレール５上を走行する走行ローラ部９ａと、前記走行ローラ部９ａの外側に隣接して一体的に形成された若干大径の外れ止めローラ部９ｂとからなり、一方前記レール５は、断面略溝型形状を成し、部材長手方向に沿って適宜の間隔で形成されたネジ取付孔５ｃ、５ｃ…から螺入された固定ネジ１１、１１…によって上板２Ａの端面と下板２Ｂの端面とにそれぞれ固定されている。前記固定ネジ１１の頭部にはキャップ材１２が設けられ固定ネジ１１が外部から隠蔽されている。また、ローラ走行部となる下フランジには凹溝５ａが形成され、この凹溝５ａの外側壁部の上面を前記走行ローラ部９ａが走行し、前記凹溝５ａ内に前記外れ止めローラ部９ｂが嵌合するようになっており、引戸３が容易に外れないように保持されている。
【００１７】
前記引戸３の取り付けに際しては、前記レール５の端面開口部よりランナ装置６のローラ部材９を嵌め入れるようにして収納棚２の開口面に引戸３を取り付ける。そして、前記他辺側６Ｂの揺動操作により一辺側６Ａに支持されたローラ部材９の上下方向位置を調整したならば、仮止めネジ１６を螺入し、ランナ装置６をその状態で仮止めした後、本固定用ネジ取付孔６ｃに本固定用ネジ１７を螺入して堅固に固定する。なお、本固定用ネジ１７の螺入作業が行いづらい場合には、引戸３を一旦取り外し、本固定用ネジ取付孔６ｃに本固定用ネジ１７を螺入するようにしてもよい。また、収納棚２の側部に空間的な余裕がなく、引戸３を正面側からしか建込みできないような場合には、引戸３の下部側にのみランナ装置６，６を取り付けておき、収納棚２の正面側から下側ランナ装置６，６を下側レール５に対して嵌め込むようにしながら引戸３を建て込むとともに、上側ランナ６については単品の状態で上側レール５にセットし、揺動軸用ネジ孔６ｄに支軸１０（ネジ）を螺入させることにより上側ランナ６を引戸３に揺動可能な状態で固定し、その後にローラ部材９の上下方向位置を調整を行い、仮止めネジ１６、本固定用ネジ１７を螺入し固定を図るようにしてもよい。
【００１８】
前記ランナ装置６がきっちりと調整された位置に固定されたならば、前記レール５の端部にレールキャップ１４を嵌め込み施工を完了する。仮に、収納棚２の正面側から引戸３を建て込む場合には、レールキャップ１４は予め取り付けておく。なお、図２において、レール５の端部位置には前記ローラ部材９が衝合するストッパー部材１５が設けられ、引戸３がそれ以上側方に移動できないように規制されている。
【００１９】
なお、上記説明は引戸の上端右側に配置されるランナ装置について説明を行ったが、上端左側はもちろん、下端側についても対称配置で同様に取付けられる。
【００２０】
（他の形態例）
（１）上記例の引戸３は、アルミ等の金属形材からなる上框４Ａ、下框４Ｂ及び縦框４Ｃ、４Ｄによって構成されたフレーム枠内にガラス等のパネル７が嵌め込まれたものであるが、例えば木製の上框、下框及び縦框によって構成された木フレームの表裏面にそれぞれ木板が貼着された戸板の場合であっても、木板部分にランナ装置をネジで堅固に固定することはできないため、本発明のランナ取付け構造を好適に適用することができる。また、本発明ランナ取付け構造は、框枠を有する引戸以外に、例えば無垢板等の木製引戸に対しても適用することができる。
【００２１】
（２）上記形態例では、ランナ装置６の他辺側６Ｂにおいて、揺動軸１０を回転中心とした円弧方向に長孔の仮固定用ネジ取付孔６ｂと、丸孔状の本固定用ネジ取付孔６ｃとからなる２つのネジ取付孔を設けたが、本固定用ネジ取付孔６ｃのみを設けるようにしてもよい。
【００２２】
【発明の効果】
以上詳説のとおり本発明によれば、上框、下框及び縦框からなるフレーム枠にパネルが配設された引戸を備える収納棚において、前記引戸を取り付けた状態のまま、引戸用ランナ装置の位置調整を行うことが可能となる。
【図面の簡単な説明】
【図１】本発明が適用された収納棚の全体斜視図である。
【図２】本発明に係る引戸用ランナ装置６の取付け状態を示す正面図である。
【図３】そのＩＩＩ−ＩＩＩ線矢視図である。
【図４】引戸用ランナ装置６の正面図である。
【図５】従来の引戸用ランナ装置の取付け構造を示す正面図である。
【図６】その縦断面図である。
【符号の説明】
１…引戸用ランナ装置の取付け構造、２…収納棚、２Ａ…上板、２Ｂ…下板、３…引戸、４…フレーム枠、４Ａ…上框、４Ｂ…下框、４Ｃ・４Ｄ…縦框、５…レール、６…ランナ装置、７…パネル、９…ローラ部材、６Ａ…一辺側、６Ｂ…他辺側、６ｄ…揺動軸用ネジ孔、６ｂ…仮固定用ネジ取付孔、６ｃ…本固定用ネジ取付孔
【図１】
2004218331.tif 000003
【図２】
2004218331.tif 000004
【図３】
2004218331.tif 000005
【図４】
2004218331.tif 000006
【図５】
2004218331.tif 000007
【図６】
2004218331.tif 000008